(57)【要約】【課題】誤動作が行われる確率が低い接続装置を提供する。【解決手段】接続装置１１は、バッテリとｎ（ｎ：自然数）個の負荷とを電気的に接続する。接続装置１１は箱体２６を備え、箱体２６には第１発光部２１、第１受光部２２、第２発光部２３及び第２受光部２４が収容されている。第１発光部２１は、バッテリと負荷との接続状態を示す状態信号に応じた光を発光し、第１受光部２２は第１発光部２１が発光した光を受光する。第２発光部２３は、状態信号の生成に係る制御信号に応じた光を発光し、第２受光部２４は第２発光部２３が発光した光を受光する。板部３０は、箱体２６の一面から、箱体２６の内側に突出している。板部３０の板面は、第１発光部２１及び第２受光部２４の間と、第１受光部２２及び第２発光部２３の間とに位置してある。【選択図】図５
2016162834.tif 000002
【特許請求の範囲】
【請求項１】
一又は複数の第１機器と、一又は複数の第２機器とを電気的に接続する接続装置において、
前記第１機器及び第２機器の接続状態を示す状態信号を生成する生成部と、
該生成部が生成した状態信号に応じた光を発光する第１発光部と、
該第１発光部が発光した光を受光する第１受光部と、
前記生成部の動作を制御するための制御信号に応じた光を発光する第２発光部と、
該第２発光部が発光した光を受光する第２受光部と、
前記第１発光部、第１受光部、第２発光部及び第２受光部が収容されている箱体と、
該箱体の一面から内側に突出し、板面が前記第１発光部及び第２受光部の間、並びに、前記第１受光部及び第２発光部の間に位置してある板部と
を備えることを特徴とする接続装置。
【請求項２】
前記箱体の一面から内側に突出し、板面が前記板部の板面と対向してある第２の板部を備え、
前記板部及び第２の板部の間に、前記第１発光部及び第１受光部が位置してあるか、又は、前記第２発光部及び第２受光部が位置してあること
を特徴とする請求項１に記載の接続装置。
【請求項３】
前記第１機器はバッテリであり、
前記第２機器は負荷であり、
前記バッテリから一又は複数の前記負荷への一又は複数の給電経路夫々に設けられた一又は複数のヒューズを更に備え、
前記状態信号は、該一又は複数のヒューズ夫々について溶断が行われているか否かを示すこと
を特徴とする請求項１又は請求項２に記載の接続装置。
【請求項４】
前記一又は複数の第２機器中の少なくとも１つについて、前記状態信号が前記接続状態として非接続を示す場合に、報知を指示する報知信号を出力する信号出力部
を備えることを特徴とする請求項１から請求項３のいずれか１つに記載の接続装置。
【発明の詳細な説明】
【技術分野】
【０００１】
本発明は、一又は複数の第１機器と、一又は複数の第２機器とを接続する接続装置に関する。
【背景技術】
【０００２】
車両には、バッテリと、バッテリによって給電される一又は複数の負荷とを接続する接続装置が搭載されている。接続装置では、バッテリから一又は複数の負荷への各給電経路にヒューズが設けられている。接続装置では、バッテリと負荷との接続状態、即ち、一又は複数のヒューズ夫々について溶断が行われているか否かを示す状態信号を生成する。
【０００３】
接続装置は発光部及び受光部を更に備える。発光部は、生成した状態信号に応じた光を受光部に発光し、受光部は、発光部が発光した光を受光し、受光した光を電気に変換する。受光部は、光電変換によって得られた状態信号を出力する。接続装置では、受光部が出力した状態信号に基づいて、バッテリと負荷との接続状態を監視する。そして、一又は複数の負荷の少なくとも１つとバッテリとの接続が遮断した場合に報知を行う。
【０００４】
特許文献１には、受光部を有するプリンタに固定された状態で携帯情報端末を保持するホルダが開示されている。携帯情報端末は発光部を有する。特許文献１に記載のホルダは、発光部がプリンタの受光部に対向するように携帯情報端末を保持する。これにより、携帯情報端末は、プリンタと赤外線通信を行い、印刷すべき画像に係る画像データを送信し、プリンタは、受信した画像データに係る画像を印刷する。
【先行技術文献】
【特許文献】
【０００５】
【特許文献１】特開２００７−２８２６３号公報
【発明の概要】
【発明が解決しようとする課題】
【０００６】
接続装置の中には、状態信号の生成に係る制御信号、例えば、状態信号の生成の停止を指示する信号に応じた光を発光する第２の発光部と、第２の発光部が発光した光を受光する第２の受光部とを更に備える接続装置がある。
【０００７】
この接続装置では、発光部が発光した光が第２の受光部に入射する可能性があり、更には、第２の発光部が発光した光が受光部に入射する可能性がある。発光部が発光した光が第２の受光部に入射した場合、又は、第２の発光部が発光した光が受光部に入射した場合、誤動作が行われる虞がある。
【０００８】
本発明は斯かる事情に鑑みてなされたものであり、その目的とするところは、誤動作が行われる確率が低い接続装置を提供することにある。
【課題を解決するための手段】
【０００９】
本発明に係る接続装置は、一又は複数の第１機器と、一又は複数の第２機器とを電気的に接続する接続装置において、前記第１機器及び第２機器の接続状態を示す状態信号を生成する生成部と、該生成部が生成した状態信号に応じた光を発光する第１発光部と、該第１発光部が発光した光を受光する第１受光部と、前記生成部の動作を制御するための制御信号に応じた光を発光する第２発光部と、該第２発光部が発光した光を受光する第２受光部と、前記第１発光部、第１受光部、第２発光部及び第２受光部が収容されている箱体と、該箱体の一面から内側に突出し、板面が前記第１発光部及び第２受光部の間、並びに、前記第１受光部及び第２発光部の間に位置してある板部とを備えることを特徴とする。
【００１０】
本発明にあっては、一又は複数の第１機器が、装置を介して一又は複数の第２機器に電気的に接続する。第１発光部、第１受光部、第２発光部及び第２受光部の配置の例として、１つの基板の板面に、第１発光部及び第２受光部が実装され、他の基板の板面に第１受光部及び第２発光部が実装される。この場合、２つの基板は、第１発光部及び第２受光部が実装された一方の基板の板面と、第１受光部及び第２発光部が実装された他方の基板の板面とが対向するように箱体に収容されている。箱体には、第１発光部、第１受光部、第２発光部及び第２受光部が収容されている。
【００１１】
生成部は、第１機器と第２機器との接続状態を示す状態信号を生成する。第１発光部は、生成部が生成した状態信号に応じた光を第１受光部に発光し、第１受光部は、第１発光部が発光した光を受光する。第２発光部は、生成部の動作を制御するための制御信号に応じた光を第２受光部に発光し、第２受光部は第２発光部が発光した光を受光する。
【００１２】
箱体の一面から箱体の内側に板部が突出しており、板部の板面は第１発光部及び第２受光部の間と、第１受光部及び第２発光部の間とに位置してある。
このため、第１発光部が発光した光を第２受光部が受光する確率が低く、第２発光部が発光した光を第１受光部が受光する確率も低い。従って、誤動作が行われる確率は低い。更に、板部は箱体の一面から突出しているため、箱体と一体的に板部を製造することが可能であり、製造費用が安価である。
【００１３】
本発明に係る接続装置は、前記箱体の一面から内側に突出し、板面が前記板部の板面と対向してある第２の板部を備え、前記板部及び第２の板部の間に、前記第１発光部及び第１受光部が位置してあるか、又は、前記第２発光部及び第２受光部が位置してあることを特徴とする。
【００１４】
本発明にあっては、板部に加えて、第２の板部が箱体の一面から突出し、板部の板面は第２の板部の板面と対向してある。そして、板部と第２の板部との間に、第１発光部及び第１受光部が位置してあるか、又は、第２発光部及び第２受光部が位置してある。
【００１５】
第１発光部及び第１受光部が板部と第２の板部との間に位置してある場合、第１発光部が発光した光が第１受光部に到達するまでの経路が限定されるため、第１発光部から同時に発光された光は、第１受光部によって略同時に受光され、経路の違いによる遅延量が小さい。同様に、第２発光部及び第２受光部が板部と第２板部との間に位置してある場合、第２発光部から同時に発光された光は、第２受光部によって略同時に受光され、経路の違いによる遅延量が小さい。
【００１６】
本発明に係る接続装置は、前記第１機器はバッテリであり、前記第２機器は負荷であり、前記バッテリから一又は複数の前記負荷への一又は複数の給電経路夫々に設けられた一又は複数のヒューズを更に備え、前記状態信号は、該一又は複数のヒューズ夫々について溶断が行われているか否かを示すことを特徴とする。
【００１７】
本発明にあっては、バッテリと一又は複数の負荷とを接続する。バッテリから一又は複数の負荷への一又は複数の給電経路夫々に一又は複数のヒューズが設けられている。生成部は、状態信号として、一又は複数のヒューズ夫々について溶断が行われているか否かを示す信号を生成し、第１発光部は生成部が生成した状態信号に応じた光を発光する。
【００１８】
本発明に係る接続装置は、前記一又は複数の第２機器中の少なくとも１つについて、前記状態信号が前記接続状態として非接続を示す場合に、報知を指示する報知信号を出力する信号出力部を備えることを特徴とする。
【００１９】
本発明にあっては、生成部が生成する状態信号が、一又は複数の第２機器中の少なくとも１つについて、第１機器との接続状態として、非接続を示す場合、報知を指示する報知信号を出力する。
これにより、一又は複数の第２機器中の少なくとも１つについて、第１機器との接続状態が非接続であることがユーザに通知される。
【発明の効果】
【００２０】
本発明によれば、誤動作が行われる確率が低い。
【図面の簡単な説明】
【００２１】
【図１】実施の形態１における電源システムの要部構成を示すブロック図である。
【図２】接続装置の構造の説明図である。
【図３】図２のIII−III線の断面図である。
【図４】図２のIV−IV線の断面図である。
【図５】図４のV−V線の断面図である。
【図６】実施の形態２における接続装置の断面図である。
【図７】図６のVII−VII線の断面図である。
【図８】実施の形態３における接続装置の断面図である。
【図９】図８のIX−IX線の断面図である。
【発明を実施するための形態】
【００２２】
以下、本発明をその実施の形態を示す図面に基づいて詳述する。
（実施の形態１）
図１は、実施の形態１における電源システム１の要部構成を示すブロック図である。電源システム１は、好適に車両に搭載されており、バッテリ１０、接続装置１１、報知部１２及びｎ（ｎ：自然数）個の負荷Ｌ１，Ｌ２，・・・，Ｌｎを備える。バッテリ１０の正極は接続装置１１に接続されている。接続装置１１は、更に、ｎ個の負荷Ｌ１，Ｌ２，・・・，Ｌｎ夫々の一端と、報知部１２とに接続されている。バッテリ１０の負極と、ｎ個の負荷Ｌ１，Ｌ２，・・・，Ｌｎ夫々の他端とは接地されている。
【００２３】
接続装置１１は、バッテリ１０と、ｎ個の負荷Ｌ１，Ｌ２，・・・，Ｌｎとを電気的に接続する。具体的に、接続装置１１は、バッテリ１０の正極を、ｎ個の負荷Ｌ１，Ｌ２，・・・，Ｌｎ夫々の一端に接続する。接続装置１１は、ｎ個の負荷Ｌ１，Ｌ２，・・・，Ｌｎ夫々について、バッテリ１０との接続状態を監視する。接続装置１１は、ｎ個の負荷Ｌ１，Ｌ２，・・・，Ｌｎ中の少なくとも１つと、バッテリ１０との接続が遮断された場合、報知を指示する報知信号を報知部１２に出力する。報知信号には、ｎ個の負荷Ｌ１，Ｌ２，・・・，Ｌｎの中で非接続状態である負荷を示す負荷情報が含まれている。
【００２４】
接続装置１１には、図示しないイグニッションスイッチのオン／オフを示すイグニッション信号が入力される。接続装置１１は、イグニッションスイッチがオンからオフに切替わった場合、接続状態の監視を停止する。接続装置１１は、イグニッションスイッチがオフからオンに切替わった場合、接続状態の監視を開始する。
【００２５】
報知部１２には接続装置１１から報知信号が入力される。報知部１２は、報知信号が入力された場合、入力された報知信号に含まれる負荷情報が示す負荷とバッテリ１０との接続が遮断されている旨を報知する。報知部１２は、図示しない表示部へのメッセージの表示、又は、図示しないランプの点灯等によって報知を行う。
【００２６】
負荷Ｌ１，Ｌ２，・・・，Ｌｎ夫々は、車両に搭載されるヘッドライト又はワイパー等の電気機器であり、接続装置１１を介してバッテリ１０から給電される。
バッテリ１０は第１機器として機能し、負荷Ｌ１，Ｌ２，・・・，Ｌｎ夫々は第２機器として機能する。
【００２７】
接続装置１１は、生成部２０、第１発光部２１、第１受光部２２、第２発光部２３、第２受光部２４、監視部２５、及び、ｎ個のヒューズＦ１，Ｆ２，・・・，Ｆｎを有する。ヒューズＦ１，Ｆ２，・・・，Ｆｎ夫々の一端は、バッテリ１０の正極に接続されている。ヒューズＦ１，Ｆ２，・・・Ｆｎ夫々の他端は負荷Ｌ１，Ｌ２，・・・，Ｌｎの一端に接続されている。このように、ｎ個のヒューズＦ１，Ｆ２，・・・，Ｆｎ夫々は、バッテリ１０からｎ個の負荷Ｌ１，Ｌ２，・・・，Ｌｎへのｎ個の給電経路に設けられている。
【００２８】
ヒューズＦ１，Ｆ２，・・・，Ｆｎの他端は、更に、生成部２０に各別に接続されている。生成部２０は、更に、第１発光部２１及び第２受光部２４に各別に接続されている。生成部２０は接地されている。第１受光部２２及び第２発光部２３は監視部２５に各別に接続されている。監視部２５は、更に、報知部１２に接続されている。
【００２９】
ヒューズＦｋ（ｋ＝１，２，・・・ｎ）は、バッテリ１０から負荷Ｌｋへ一定量以上の電流が流れた場合、電流が流れることによって発生する熱によって溶断される。
【００３０】
生成部２０は、ｎ個のヒューズＦ１，Ｆ２，・・・，Ｆｎ夫々について、溶断が行われているか否か、言い換えると、バッテリ１０とｎ個の負荷Ｌ１，Ｌ２，・・・，Ｌｎとの接続状態を示す状態信号を生成する。生成部２０は、ｎ個のヒューズＦ１，Ｆ２，・・・，Ｆｎ夫々の他端における電圧に基づいて状態信号を生成する。
【００３１】
ヒューズＦｋが溶断されていない場合、ヒューズＦｋの他端における電圧は、バッテリ１０の出力電圧と一致するか又は略一致する。ヒューズＦｋが溶断されている場合、ヒューズＦｋの他端における電圧は、ゼロボルト又は略ゼロボルトである。ゼロボルトを超え、かつ、バッテリ１０の出力電圧未満である閾値電圧が予め設定されている。
【００３２】
ヒューズＦｋの他端における電圧が閾値電圧以上である場合、生成部２０は、ヒューズＦｋについて、溶断が行われていないことを示す状態信号を出力する。ヒューズＦｋの他端における電圧が閾値電圧未満である場合、生成部２０は、ヒューズＦｋについて、溶断が行われていることを示す状態信号を出力する。
【００３３】
状態信号は、ハイレベル及びローレベルの電圧によって構成されるｎビットの２値信号である。状態信号について、ｋ（ｋ＝１，２，・・・，ｎ）ビット目の電圧は、ヒューズＦｋが溶断されているか否かを示す。状態信号について、ｋビット目の電圧がハイレベルの電圧である場合、ヒューズＦｋが溶断されていないことを示し、ｋビット目の電圧がローレベルの電圧である場合、ヒューズが溶断されていることを示す。
生成部２０は、状態信号を周期的に生成し、生成した状態信号を第１発光部２１に出力する。
【００３４】
生成部２０には、状態信号の生成の開始を指示する開始信号と、状態信号の生成の停止を指示する停止信号とが第２受光部２４から入力される。生成部２０は、開始信号が入力された場合に状態信号の生成を開始し、停止信号が入力された場合に状態信号の生成を停止する。
開始信号及び停止信号夫々は生成部２０の動作を制御するための制御信号である。
【００３５】
第１発光部２１には、生成部２０から状態信号が入力される。第１発光部２１は、ＬＥＤ（Light Emitting Diode）又は半導体レーザ等を用いて構成される。第１発光部２１は、生成部２０から入力された状態信号に応じた光を第１受光部２２に向けて発光する。具体的には、第１発光部２１は、状態信号がハイレベルの電圧を示す場合、強度が所定の第１強度以上である光を発光する。また、第１発光部２１は、状態信号がローレベルの電圧を示す場合、強度が第１強度未満である光を発光するか、又は、光を発光しない。第１強度はゼロワットを超えている。また、第１発光部２１が発光する光は赤外線である。
【００３６】
ｎ個のヒューズＦ１，Ｆ２，・・・，Ｆｎ全てが溶断されていない場合、生成部２０が生成する状態信号の全てビットの電圧はハイレベルの電圧であるため、状態信号の全ビット期間中、強度が第１強度以上である光を発光し続ける。
以上のように、第１発光部２１は電気信号を光信号に変換する。
【００３７】
第１受光部２２は、フォトトランジスタ又はフォトダイオード等を用いて構成され、第１発光部２１が発光した光を受光する。第１受光部２２は、受光した光を電気に変換する。具体的には、第１受光部２２は、受光した光の強度が所定の第２強度以上である場合にハイレベルの電圧を監視部２５に出力し、受光した光の強度が第２強度未満である場合にローレベルの電圧を監視部２５に出力する。これにより、第１受光部２２は生成部２０が生成した状態信号を監視部２５に出力する。第２強度は、ゼロワットを超え、かつ、第１強度以下である。
【００３８】
監視部２５には、第１受光部２２から状態信号が入力される。監視部２５は、第１受光部２２から入力された状態信号に基づいて、ｎ個のヒューズＦ１，Ｆ２，・・・，Ｆｎ夫々について、溶断が行われているか否かを監視する。監視部２５は、ｎ個のヒューズＦ１，Ｆ２，・・・，Ｆｎの少なくとも１つが溶断されている場合、言い換えると、ｎ個の負荷Ｌ１，Ｌ２，・・・，Ｌｎ中の少なくとも１つについて、第１受光部２２から入力された状態信号が接続状態として非接続を示す場合、報知信号を報知部１２に出力する。監視部２５は信号出力部として機能する。
【００３９】
監視部２５は、報知信号に前述した負荷情報を含める。報知部１２は、報知信号が入力された場合、前述したように、監視部２５から入力された報知信号に含まれる負荷情報が示す負荷とバッテリ１０との接続が遮断されている旨を報知する。これにより、ｎ個の負荷Ｌ１，Ｌ２，・・・，Ｌｎ中の少なくとも１つについて、バッテリ１０との接続状態が非接続であることがユーザに通知される。
【００４０】
監視部２５は、イグニッション信号が入力され、入力されたイグニッション信号に基づいて、イグニッションスイッチのオン／オフを監視する。監視部２５は、イグニッションスイッチがオフからオンに切替わった場合に開始信号を第２発光部２３に出力し、イグニッションスイッチがオンからオフに切替わった場合に停止信号を第２発光部２３に出力する。開始信号及び停止信号夫々は、状態信号と同様に、ハイレベル及びローレベルの電圧によって構成される２値信号である。
【００４１】
第２発光部２３には、監視部２５から開始信号及び停止信号が入力される。第２発光部２３は、第１発光部２１と同様に、ＬＥＤ又は半導体レーザ等を用いて構成される。第２発光部２３は、監視部２５から入力された開始信号又は停止信号に応じた光を第２受光部２４に向けて発光する。具体的には、第２発光部２３は、監視部２５から入力された開始信号又は停止信号がハイレベルの電圧を示す場合、強度が所定の第３強度以上である光を発光する。第２発光部２３は、監視部２５から入力された開始信号又は停止信号がローレベルの電圧を示す場合、強度が第３強度未満である光を発光するか、又は、光を発光しない。第３強度はゼロワットを超えている。また、第２発光部２３が発光する光は赤外線である。第２発光部２３も、第１発光部２１と同様に、電気信号を光信号に変換する。
【００４２】
第２受光部２４は、第１受光部２２と同様に、フォトトランジスタ又はフォトダイオード等を用いて構成され、第２発光部２３が発光した光を受光する。第２受光部２４は、受光した光を電気に変換する。具体的には、第２受光部２４は、受光した光の強度が所定の第４強度以上である場合にハイレベルの電圧を生成部２０に出力し、受光した光の強度が第４強度未満である場合にローレベルの電圧を生成部２０に出力する。これにより、第２受光部２４は、監視部２５が出力した開始信号又は停止信号を生成部２０に出力する。第４強度は、ゼロワットを超え、かつ、第３強度以下である。
【００４３】
前述したように、生成部２０は、第２受光部２４から開始信号が入力された場合に状態信号の生成を開始し、第２受光部２４から停止信号が入力された場合に状態信号の生成を停止する。
【００４４】
図２は接続装置１１の構造の説明図である。図２Ａは接続装置１１の外観図を示している。接続装置１１は、更に、中空の直方体状をなす樹脂製の箱体２６を有する。箱体２６には、生成部２０、第１発光部２１、第１受光部２２、第２発光部２３、第２受光部２４、監視部２５、及び、ｎ個のヒューズＦ１，Ｆ２，・・・，Ｆｎ等が収容されている。箱体２６は第１発光部２１及び第２発光部２３夫々が発光した光を反射する。
【００４５】
また、接続装置１１は、図２Ｂ及び図２Ｃ夫々に示す第１基板２７及び第２基板２８を有する。第１基板２７及び第２基板２８夫々は矩形状をなす。第１基板２７の一方の板面に、第１発光部２１及び第２受光部２４が、第１基板２７の長手方向に並置されている。第１発光部２１及び第２受光部２４は第１基板２７の隅に位置している。また、第２基板２８の一方の板面に、第１受光部２２及び第２発光部２３が、第２基板２８の長手方向に並置されている。第１受光部２２及び第２発光部２３も第２基板２８の隅に位置している。
【００４６】
第１発光部２１は状態信号に応じた光を発光する発光面を有し、この発光面は第１基板２７に平行又は略平行である。第１受光部２２は、第１発光部２１が発光した光を受光する受光面を有し、この受光面は第２基板２８の板面に平行又は略平行である。
【００４７】
同様に、第２発光部２３は、開始信号又は停止信号に応じた光を発光する発光面を有し、この発光面は第２基板２８に平行又は略平行である。第２受光部２４は、第２発光部２３が発光した光を受光する受光面を有し、受光面は第１基板２７に平行又は略平行である。
【００４８】
第１発光部２１及び第２受光部２４が配置されている第１基板２７の板面に電子部品２９が配置されている。電子部品２９は、抵抗器、コンデンサ又は半導体トランジスタ等である。電子部品２９は、第１発光部２１及び第２発光部２３夫々が発光した光を反射する。
【００４９】
第１基板２７及び第２基板２８は、第１発光部２１、第２受光部２４及び電子部品２９が配置された第１基板２７の板面が、第２受光部２４及び電子部品２９が配置された第２基板２８の板面に対向するように、箱体２６に収容されている。
【００５０】
図３は図２のIII−III線の断面図であり、図４は図２のIV−IV線の断面図である。接続装置１１は更に樹脂製の板部３０を有する。板部３０は、矩形状をなし、箱体２６の一面から箱体２６の内側に突出している。板部３０は第１基板２７及び第２基板２８の間に位置し、板部３０の板面は第１基板２７及び第２基板２８夫々の板面に垂直又は略垂直である。板部３０は第１発光部２１及び第２発光部２３が発光した光を反射する。
【００５１】
板部３０は、第１発光部２１及び第２受光部２４の並置方向に垂直な方向に突出している。突出方向に関して、板部３０は、板部３０が突出している箱体２６の一面から第１発光部２１及び第２受光部２４の位置までの距離よりも十分に長い。また、第１基板２７及び第２基板２８夫々の板面に垂直な方向に関して、板部３０は、第１基板２７及び第２基板２８の間隔よりも若干短い。
【００５２】
図５は図４のV−V線の断面図である。第１発光部２１は第１受光部２２と対向してあり、第２発光部２３は第２受光部２４と対向してある。前述したように、第１発光部２１は第１基板２７の隅に位置するので、第１発光部２１及び第１受光部２２は、板部３０の板面に対向する箱体２６の二面中の一方の近傍に位置している。
【００５３】
板部３０の両方の板面は、第１発光部２１及び第２受光部２４の間と、第１受光部２２及び第２発光部２３の間とに位置してある。電子部品２９は、第２発光部２３から比較的に離れた位置に配置されている。
【００５４】
以上のように構成された接続装置１１においては、板部３０が設けられているため、第１発光部２１が発光した光を第２受光部２４が受光する確率は低く、第２発光部２３が発光した光を第１受光部２２が受光する確率も低い。従って、第１発光部２１が発光した光が第２受光部２４によって受光されて生成部２０が誤動作を行う確率は低く、第２発光部２３が発光した光が第１受光部２２によって受光されて監視部２５が誤動作を行う確率は低い。更に、板部３０は箱体２６の一面から突出しているため、板部３０を箱体２６と一体的に製造することができ、接続装置１１の製造費用は安価である。
【００５５】
また、電子部品２９は、第２発光部２３及び第２受光部２４から離れているため、第２発光部２３が発光した光が電子部品２９で反射して第２受光部２４の受光面に入射する確率は低い。更に、たとえ、電子部品２９で反射した光が第２受光部２４によって受光された場合であっても、この光の強度は無視することができる程度に小さい。
【００５６】
第１発光部２１及び第１受光部２２は板部３０の板面に対向する箱体２６の二面中の一方の近傍に位置しているので、第１発光部２１が発光した光が第１受光部２２の受光面に到達するまでの経路は限定的である。従って、第１発光部２１が発光した光が第１受光部２２の受光面に到達するまでの経路が限定され、第１発光部２１から同時に発光された光は、第１受光部２２によって略同時に受光され、経路の違いによる遅延量は小さい。このため、第１受光部２２から監視部２５へ入力される状態信号の波形の歪みは小さい。
【００５７】
なお、第１発光部２１ではなく、第２発光部２３が板部３０の板面に対向してある箱体２６の二面中の一方の近傍にあってもよい。例えば、第１発光部２１及び第２受光部２４の位置が入れ替わり、第１受光部２２及び第２発光部２３の位置が入れ替わってもよい。
【００５８】
（実施の形態２）
実施の形態１において、電子部品２９が第２発光部２３又は第２受光部２４の近傍にある場合、第２発光部２３が発光した光が電子部品２９で反射して第２受光部２４の受光面に入射する虞がある。電子部品２９で反射した光が第２受光部２４の受光面に入射することを防止するため、板部３０に加えて、更に、第２の板部を設けてもよい。
【００５９】
以下では、実施の形態２について実施の形態１と異なる点を説明する。後述する構成を除く他の構成については実施の形態１と同様であるため、同様の符号を付してその詳細な説明を省略する。
【００６０】
図６は実施の形態２における接続装置１１の断面図である。実施の形態２における接続装置１１は、実施の形態１における接続装置１１が有する全ての構成部に加えて、第２の板部４０を有する。実施の形態２における電源システム１に関して、接続装置１１が第２の板部４０を有する点と、電子部品２９の位置とが実施の形態１における電源システム１と異なる。
【００６１】
実施の形態２における接続装置１１は、実施の形態１と同様に、バッテリ１０、報知部１２及びｎ個の負荷Ｌ１，Ｌ２，・・・，Ｌｎに接続されている。実施の形態２における接続装置１１の外観は実施の形態１における接続装置１１と同様である（図２Ａ参照）。図６は図３に対応する断面図である。
【００６２】
第２の板部４０は、板部３０と同様に、箱体２６の一面から箱体２６の内側に突出している。第２の板部４０の板面の形状は、板部３０の板面の形状（図４参照）と同様であり、第２の板部４０は矩形状をなしている。第２の板部４０の板面は、第１基板２７及び第２基板２８夫々の板面に垂直又は略垂直であり、板部３０の板面に対向してある。
【００６３】
電子部品２９は、実施の形態１と同様に、第１基板２７に設けられ、第２受光部２４の近傍に位置している。第２発光部２３は第２受光部２４に対向してあるため、電子部品２９は第２発光部２３の近傍にも位置してある。
【００６４】
図７は図６のVII−VII線の断面図である。図７は図５に対応する断面図である。第２の板部４０は第１基板２７及び第２基板２８の間に位置する。第２の板部４０の両方の板面は、第２受光部２４及び電子部品２９の間に位置し、更に、第２発光部２３及び電子部品２９の間にも位置する。また、板部３０及び第２の板部４０の間に第２発光部２３及び第２受光部２４が位置してある。
【００６５】
突出方向に関して、第２の板部４０は、第２の板部４０が突出している箱体２６の一面から第１発光部２１及び第２受光部２４の位置までの距離よりも十分に長い。また、第１基板２７及び第２基板２８夫々の板面に垂直な方向に関して、第２の板部４０は、第１基板２７及び第２基板２８の間隔よりも若干短い。
【００６６】
以上のように構成された実施の形態２における接続装置１１では、第２の板部４０が設けられているため、第２発光部２３が発光した光が電子部品２９で反射して第２受光部２４の受光面に入射することはなく、第２発光部２３が発光した光が第２受光部２４の受光面に到達するまでの経路は限定的である。従って、第２発光部２３が発光した光が第２受光部２４の受光面に到達するまでの経路が限定され、第２発光部２３から同時に発光された光は、第２受光部２４によって略同時に受光され、経路の違いによる遅延量は小さい。このため、第２受光部２４から生成部２０へ入力される開始信号又は停止信号の波形の歪みが小さい。
【００６７】
実施の形態２における接続装置１１は、実施の形態１における接続装置１１が有する全ての構成部を有するため、実施の形態１と同様の効果も奏する。
【００６８】
なお、実施の形態２において、第１発光部２１と第２受光部２４とが入れ替わり、第１受光部２２と第２発光部２３とが入れ替わってもよい。言い換えると、板部３０及び第２の板部４０の間に第１発光部２１及び第１受光部２２が位置してあってもよい。
【００６９】
この場合、第１発光部２１が発光した光が電子部品２９で反射して第１受光部２２の受光面に入射することはなく、第１発光部２１が発光した光が第１受光部２２の受光面に到達するまでの経路は限定的である。従って、第１発光部２１が発光した光が第１受光部２２の受光面に到達するまでの経路が限定され、第１発光部２１から同時に発光された光は、第１受光部２２によって略同時に受光され、経路の違いによる遅延量は小さい。このため、第１受光部２２から監視部２５へ入力される状態信号の波形の歪みが小さい。
【００７０】
（実施の形態３）
実施の形態２において、電子部品が第１発光部２１又は第１受光部２２の近傍にある場合、第１発光部２１が発光した光が電子部品に反射して第１受光部２２の受光面に入射する虞がある。このため、電子部品で反射した光が第１受光部２２の受光面に入射することを防止するため、板部３０及び第２の板部４０に加えて、第３の板部を設けてもよい。
【００７１】
以下では、実施の形態３について実施の形態２と異なる点を説明する。後述する構成を除く他の構成については実施の形態２と同様であるため、同様の符号を付してその詳細な説明を省略する。
【００７２】
図８は実施の形態３における接続装置１１の断面図である。実施の形態３における接続装置１１は、実施の形態２における接続装置１１が有する全ての構成部に加えて、第３の板部５０及び電子部品５１を有する。実施の形態３における電源システム１に関して、接続装置１１が第３の板部５０及び電子部品５１を有する点と、第１発光部２１、第１受光部２２、第２発光部２３、第２受光部２４、電子部品２９、板部３０及び第２の板部４０の位置とが実施の形態２における電源システム１と異なる。
【００７３】
実施の形態３における接続装置１１は、実施の形態２、即ち、実施の形態１と同様に、バッテリ１０、報知部１２及びｎ個の負荷Ｌ１，Ｌ２，・・・，Ｌｎに接続されている。実施の形態３における接続装置１１の外観は、実施の形態２、即ち、実施の形態１における接続装置１１と同様である（図２Ａ参照）。図８は図３又は図６に対応する断面図である。
【００７４】
第１発光部２１及び第２受光部２４は、実施の形態１又は実施の形態２のように、第１基板２７の隅に位置しておらず、第１基板２７の一辺における中央部に位置する。実施の形態２、即ち、実施の形態１と同様に、第１受光部２２及び第２発光部２３夫々は第１発光部２１及び第２受光部２４に対向してある。このため、第１受光部２２及び第２発光部２３夫々は第２基板２８の一辺における中央部に位置する。
【００７５】
電子部品５１は、抵抗器、コンデンサ又は半導体トランジスタ等である。電子部品５１は、電子部品２９と同様に、第１発光部２１及び第２発光部２３夫々が発光した光を反射する。電子部品５１は、第１基板２７に設けられ、第１発光部２１の近傍に位置している。第１発光部２１は第１受光部２２に対向してあるため、電子部品５１は第１受光部２２の近傍にも位置している。
【００７６】
第３の板部５０は、板部３０又は第２の板部４０と同様に、箱体２６の一面から箱体２６の内側に突出している。第３の板部５０の板面の形状は、板部３０の板面の形状（図４参照）、又は、第２の板面の形状と同様であり、第３の板部５０は矩形状をなしている。第３の板部５０の板面は、第１基板２７及び第２基板２８夫々の板面に垂直又は略垂直であり、板部３０の板面に対向してある。
【００７７】
図９は図８のIX−IX線の断面図である。図９は図５又は図７に対応する断面図である。実施の形態２と同様に、板部３０の両方の板面は、第１発光部２１及び第２受光部２４の間と、第１受光部２２及び第２発光部２３の間とに位置し、板部３０及び第２の板部４０の間に第２発光部２３及び第２受光部２４が位置してある。
【００７８】
第３の板部５０は第１基板２７及び第２基板２８の間に位置する。第３の板部５０の両方の板面は、第１発光部２１及び電子部品５１の間に位置し、更に、第１受光部２２及び電子部品５１の間にも位置する。また、板部３０及び第３の板部５０の間に第１発光部２１及び第１受光部２２が位置してある。
【００７９】
突出方向に関して、第３の板部５０は、第３の板部５０が突出している箱体２６の一面から第１発光部２１及び第２受光部２４の位置までの距離よりも十分に長い。また、第１基板２７及び第２基板２８夫々の板面に垂直な方向に関して、第３の板部５０は、第１基板２７及び第２基板２８の間隔よりも若干短い。
【００８０】
以上のように構成された実施の形態３における接続装置１１では、第３の板部５０が設けられているため、第１発光部２１が発光した光が電子部品５１で反射して第１受光部２２の受光面に入射することはなく、第１発光部２１が発光した光が第１受光部２２の受光面に到達するまでの経路は限定的である。従って、第１発光部２１が発光した光が第１受光部２２の受光面に到達するまでの経路が限定され、第１発光部２１から同時に発光された光は、第１受光部２２によって略同時に受光され、経路の違いによる遅延量は小さい。このため、第１受光部２２から監視部２５へ入力される状態信号の波形の歪みが小さい。
第３の板部５０は、特許請求の範囲における第２の板部としても機能する。
【００８１】
実施の形態３における接続装置１１は、実施の形態２における接続装置１１が有する全ての構成部を有する。このため、実施の形態３における接続装置１１は、実施の形態２における接続装置１１が奏する効果の中で、第１発光部２１及び第１受光部２２は板部３０の板面に対向する箱体２６の二面中の一方の近傍に位置していることに得られる効果を除く他の効果を奏する。
【００８２】
なお、実施の形態１〜３において、板部３０は、突出方向に対向している箱体２６の二面に一体的に連なっていてもよい。更に、板部３０は、矩形状に限定されず、両方の板面が第１発光部２１及び第２受光部２４の間と、第１受光部２２及び第２発光部２３の間とに位置する形状であればよい。このような場合であっても、接続装置１１は、実施の形態１〜３夫々で述べた効果と同様の効果を奏する。
【００８３】
また、実施の形態２，３において、第２の板部４０は、突出方向に対向している箱体２６の二面に一体的に連なっていてもよい。更に、第２の板部４０は、矩形状に限定されず、両方の板面が第１発光部２１及び第２受光部２４の間と、第１受光部２２及び第２発光部２３の間とに位置する形状であればよい。このような場合であっても、接続装置１１は、実施の形態２，３夫々で述べた効果と同様の効果を奏する。
【００８４】
更に、実施の形態３において、第３の板部５０は、突出方向に対向している箱体２６の二面に一体的に連なっていてもよい。更に、第３の板部５０は、矩形状に限定されず、両方の板面が第１発光部２１及び第２受光部２４の間と、第１受光部２２及び第２発光部２３の間とに位置する形状であればよい。このような場合であっても、接続装置１１は、実施の形態３で述べた効果と同様の効果を奏する。
【００８５】
また、実施の形態１〜３において、接続装置１１が、ｎ個の負荷Ｌ１，Ｌ２，・・・，Ｌｎに接続する機器の数は１つに限定されず、２以上であってもよい。例えば、電源システム１は、バッテリ１０に加えて、他のバッテリを備え、接続装置１１は、バッテリ１０及び他のバッテリをｎ個の負荷Ｌ１，Ｌ２，・・・，Ｌｎに接続してもよい。この場合において、ｎが２以上の整数であるとき、接続装置１１は、例えば、バッテリ１０にｓ（ｓ：ｎ未満の自然数）個の負荷を接続し、他のバッテリに（ｎ−ｓ）個の負荷を接続してもよい。更に、接続装置１１が接続する機器はバッテリ１０とｎ個の負荷Ｌ１，Ｌ２，・・・，Ｌｎに限定されない。例えば、接続装置１１は、バッテリ１０の代わりに発電機を接続してもよい。
更に、第１発光部２１及び第２発光部２３夫々が発光する光は、赤外線に限定されず、例えば可視光であってもよい。
【００８６】
開示された実施の形態１〜３は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【００８７】
１０  バッテリ（第１機器）
１１  接続装置
２０  生成部
２１  第１発光部
２２  第１受光部
２３  第２発光部
２４  第２受光部
２５  監視部（信号出力部）
２６  箱体
３０  板部
４０  第２の板部
Ｆ１，Ｆ２，・・・，Ｆｎ  ヒューズ
Ｌ１，Ｌ２，・・・，Ｌｎ  負荷（第２機器）
【図１】
2016162834.tif 000003
【図２】
2016162834.tif 000004
【図３】
2016162834.tif 000005
【図４】
2016162834.tif 000006
【図５】
2016162834.tif 000007
【図６】
2016162834.tif 000008
【図７】
2016162834.tif 000009
【図８】
2016162834.tif 000010
【図９】
2016162834.tif 000011